(57)【要約】【課題】中継通信を早期に確立できる、通信機器及び通信機器の制御方法を提供することを目的とする。【解決手段】第１通信手段と、第２通信手段と、第３通信手段と、前記第１通信手段が待機の状態で、前記第２通信手段が起動の状態である際に、前記第１通信手段の通信先と前記第３通信手段の通信先の中継通信を開始する通信開始信号を受信すると、前記第３通信手段を起動させる起動要求信号を前記第３通信手段に送信した後に、前記第１通信手段を起動させる起動要求信号を前記第１通信手段に送信する制御手段とを備えている、通信機器。【選択図】      図１
2014060586.tif 000002
【特許請求の範囲】
【請求項１】
第１通信手段と、
第２通信手段と、
第３通信手段と、
前記第１通信手段が待機の状態で、前記第２通信手段が起動の状態である際に、前記第１通信手段の通信先と前記第３通信手段の通信先の中継通信を開始する通信開始信号を受信すると、前記第３通信手段を起動させる起動要求信号を前記第３通信手段に送信した後に、前記第１通信手段を起動させる起動要求信号を前記第１通信手段に送信する制御手段とを備えていることを特徴とする、通信機器。
【請求項２】
請求項１に記載の通信機器であって、
前記通信機器は、さらに、
前記第１通信手段の通信先と中継通信される通信先に接続された第４通信手段を有し、
前記制御手段は、前記第３通信手段が起動した後に、前記第３通信手段が通信を行うことができない場合は、前記第４通信手段を起動させる起動要求信号を前記第４通信手段に送信することを特徴とする、
通信機器。
【請求項３】
請求項１又は２に記載の通信機器であって、
前記制御手段は、前記起動要求信号を受信した前記第１通信手段が起動したことを示す起動応答信号を受信した後に、前記第２通信手段を待機させる待機要求信号を前記第２通信手段に送信することを特徴とする、通信機器。
【請求項４】
請求項１〜３に記載の通信機器であって、
前記第２通信手段が待機の状態で、前記第１通信手段が起動の状態である際に、
前記制御手段は、前記第１通信手段が前記中継通信を中止する通信切断信号を受信すると、前記第３通信手段を待機させる待機要求信号を前記第３通信手段に送信した後に、前記第２通信手段を起動させる起動要求信号を前記第２通信手段に送信することを特徴とする、
通信機器。
【請求項５】
請求項４に記載の通信機器であって、
前記制御手段は、前記起動要求信号を受信した前記第２通信手段が起動したことを示す起動応答信号を受信した後に、前記第１通信手段を待機させる待機要求信号を前記第１通信手段に送信することを特徴とする、通信機器。
【請求項６】
請求項１乃至５に記載の通信機器であって、前記第２通信手段は、前記第１通信手段よりも消費電力が少ないことを特長とする、通信機器。
【請求項７】
第１通信機器と、
第２通信機器とを有し、
前記第１通信機器は、請求項１乃至６に記載の通信機器であり、
前記第２通信機器は、
前記第１通信手段と通信可能な第５通信手段と、
前記第２通信手段と通信可能な第６通信手段とを有し、
前記第６通信手段は前記通信開始信号を前記第２通信手段に送信し、
前記第５通信手段が前記通信切断信号を前記第１通信手段に送信することを特徴とする、
通信システム。
【請求項８】
請求項７に記載の通信システムと、
第３通信機器を有し、
前記第３通信機器は、
前記第３通信手段と通信可能な第７通信手段を有することを特徴とする、通信システム。
【請求項９】
第１通信手段と、第２通信手段と、第３通信手段とを有し、前記第１通信手段の通信先と前記第３通信手段の通信先を中継通信する通信機器の制御方法であって、
前記第１通信手段が待機の状態で、前記第２通信手段が起動の状態である際に、前記中継通信を開始する通信開始信号を前記第２通信手段が受信すると、前記第３通信手段を起動させる起動要求信号を前記第３通信手段に送信した後に、前記第１通信手段を起動させる起動要求信号を前記第１通信手段に送信するように制御することを特徴とする、
通信機器の制御方法。
【請求項１０】
請求項９に記載の通信機器の制御方法であって、
前記通信機器はさらに第４通信手段を有し、
前記第１通信手段の通信先と前記第４通信手段の通信先を中継通信することができ、
前記第３通信手段が起動した後に、前記第３通信手段が通信を行うことができない場合は、前記第４通信手段を起動させる起動要求信号を前記第４通信手段に送信するように制御することを特徴とする、
通信機器の制御方法。
【発明の詳細な説明】
【技術分野】
【０００１】
本発明は、通信機器および通信機器の制御方法に関する。
【背景技術】
【０００２】
モバイルルーターなど、持ち歩いて中継通信を行うことができる通信機器は、バッテリーによる駆動を行うため、少しでも消費電力を抑えることが求められている。そこで、消費電力を抑えた省電力モードを設け、中継通信を行わない場合は省電力モードに移行し、中継通信を行う場合は省電力モードから復帰する通信機器が提案されている。
【０００３】
省電力モードを設けた通信機器として、特許文献１の遠隔制御システムが開示されている。図１４は、特許文献１に係る遠隔制御システムのブロック図である。遠隔制御システム４００は、制御される側（被制御側）の通信装置５００と、制御する側（制御側）の通信装置６００を含んで構成される。通信装置６００は、第１制御通信部６１０と、第２制御通信部６３０を有している。通信装置５００は、受信整流部５１０と、送受信部５３０を有している。通信装置５００は、判定部５５０及び電源制御部５７０を有している。
【０００４】
図１５は、特許文献１に係る遠隔制御システム４００の動作を示すシーケンス図である。
【０００５】
通信装置５００が待機の状態にある（Ｓ０）間に、通信装置６００の制御サブシステムにおいて通信装置５００に対する起動制御がなされ、第１制御通信部６１０に伝達される（Ｓ１）。第１制御通信部６１０は通信方法（１）により、通信装置５００に対して認証情報を含む起動制御信号を送る（Ｓ２）。
【０００６】
通信装置５００の受信整流部５１０は当該起動制御信号を受信して整流及び増幅し、受信した認証情報に基づき判定部５５０が認証の成否を判定する（Ｓ３）。認証が成功すると、認証の成功を表す信号が電源制御部５７０に送られ（Ｓ４）、電源制御部５７０が送受信部５３０に対して電源を投入するように制御することにより送受信部５３０が起動される（Ｓ５）。
【０００７】
送受信部５３０は、起動後に通信方法（２）により、通信装置６００に対して送受信部５３０の起動応答の信号を送る（Ｓ６）。通信装置６００の第２制御通信部６３０は当該起動応答の信号を受信して、次に通信方法（２）により被制御サブシステムに対する起動指示の信号を送る（Ｓ７）。
【０００８】
通信装置５００の送受信部５３０は上記の起動指示の信号を受信して、被制御サブシステムに伝達する（Ｓ８）。被制御サブシステムは当該起動指示の信号を受けて起動され（Ｓ９）、送受信部５３０を介して通信装置６００に対して起動応答の信号を送る。当該起動応答の信号は第２制御通信部６３０により受信されて、制御サブシステムに伝達される（Ｓ１０）。
【０００９】
その後、制御サブシステムは第２制御通信部６３０を、被制御サブシステムは送受信部５３０をそれぞれ介して、互いに双方向通信を行うことができる（Ｓ１１）。
【先行技術文献】
【特許文献】
【００１０】
【特許文献１】特開２００９−８８６５１
【発明の概要】
【発明が解決しようとする課題】
【００１１】
しかしながら、特許文献１に記載の遠隔制御システム４００には、下記の問題があった。中継通信を行う通信機器は、低消費電力が求められると同時に、低消費電力モードから復帰する際に直ちに中継通信を確立することが求められる。特許文献１に記載の遠隔制御システム４００においては、送受信部５３０の認証（Ｓ４）、起動（Ｓ５）の後に、被制御サブシステムの起動（Ｓ９）を行っている。したがって、送受信部５３０の認証及び起動が遅れるほど、被制御サブシステムの起動も遅れることになり、通信装置６００と被制御サブシステムの通信先が中継通信を行う場合、中継通信を早期に確立できない可能性がある。
【００１２】
本発明の目的は、中継通信を早期に確立できる、通信機器及び通信機器の制御方法を提供することを目的とする。
【課題を解決するための手段】
【００１３】
本発明の通信機器は、第１通信手段と、第２通信手段と、第３通信手段と、前記第１通信手段が待機の状態で、前記第２通信手段が起動の状態である際に、前記第１通信手段の通信先と前記第３通信手段の通信先の中継通信を開始する通信開始信号を受信すると、前記第３通信手段を起動させる起動要求信号を前記第３通信手段に送信した後に、前記第１通信手段を起動させる起動要求信号を前記第１通信手段に送信する制御手段とを備えていることを特徴とする。
【００１４】
また、本発明の通信機器の制御方法は、第１通信手段と、第２通信手段と、第３通信手段とを有し、前記第１通信手段の通信先と前記第３通信手段の通信先を中継通信する通信機器の制御方法であって、前記第１通信手段が待機の状態で、前記第２通信手段が起動の状態である際に、前記中継通信を開始する通信開始信号を前記第２通信手段が受信すると、前記第３通信手段を起動させる起動要求信号を前記第３通信手段に送信した後に、前記第１通信手段を起動させる起動要求信号を前記第１通信手段に送信するように制御することを特徴とする。
【発明の効果】
【００１５】
本発明によれば、中継通信を早期に確立できる、通信機器及び通信機器の制御方法が提供される。
【図面の簡単な説明】
【００１６】
【図１】第１の実施形態に係る通信機器のブロック図である。
【図２】第１の実施形態に係る通信機器の動作を示すシーケンス図である。
【図３】第２の実施形態に係る通信機器のブロック図である。
【図４】第２の実施形態に係る通信機器の動作を示すシーケンス図である。
【図５】第３の実施形態に係る通信機器の動作を示すシーケンス図である。
【図６】第４の実施形態に係る通信機器の動作を示すシーケンス図である。
【図７】第５の実施形態に係る通信機器の動作を示すシーケンス図である。
【図８】第６の実施形態に係る通信機器のブロック図である。
【図９】第６の実施形態に係る通信機器の動作を示すシーケンス図である。
【図１０】第６の実施形態に係る通信機器の動作を示すシーケンス図である。
【図１１】第７の実施形態に係る通信機器のブロック図である。
【図１２】第７の実施形態に係る通信機器の動作を示すシーケンス図である。
【図１３】第７の実施形態に係る通信機器の動作を示すシーケンス図である。
【図１４】特許文献１に係る遠隔制御システムのブロック図である。
【図１５】特許文献１に係る遠隔制御システムの動作を示すシーケンス図である。
【発明を実施するための形態】
【００１７】
［第１の実施形態］
図１及び２を参照し、第１の実施形態に係る通信機器について説明する。図１は、第１の実施形態に係る通信機器のブロック図である。図１に示されるように、本発明の第１の実施形態に係る第１通信機器１００は、第１通信手段１０１と、第２通信手段１０２と、第３通信手段１０３を有する。また、本発明の第１の実施形態に係る第１通信機器１００は、後述する第１通信手段１０１、第２通信手段１０２、及び第３通信手段１０３の起動及び待機を制御する制御手段１１０を有する。第１通信機器１００は、第１通信手段１０１の通信先と第３通信手段１０３の通信先を中継通信することができる。
【００１８】
第１通信手段１０１、第２通信手段１０２、及び第３通信手段１０３は、種々の通信方式を採用する通信手段を用いることができる。それぞれの通信手段が採用する通信方式は、全て同じであっても良いし、異なっていても良い。
【００１９】
それぞれの通信手段は、二つのモードに切り替わる。二つのモードは、起動の状態と、起動の状態よりも消費電力が少ない、又は電力を消費しない、待機の状態からなる。制御手段１１０は、それぞれの通信手段のモードを切り替えることができる。
【００２０】
第１の実施形態に係る第１通信機器１００は、第１通信手段１０１の通信先と第３通信手段１０３の通信先を中継通信することができる。例えば、第１通信手段１０１がパーソナルコンピューターと通信し、第３通信手段１０３が無線基地局と通信する場合、パーソナルコンピューターと無線基地局との間で、通信を行うことができる。
【００２１】
次に図２を用いて、本発明の第１の実施形態に係る第１通信機器１００の動作について説明する。図２は、第１の実施形態に係る第１通信機器１００の動作を示すシーケンス図である。上方から下方へ向かって時間が経過するものとする。以下に、第１の実施形態に係る第１通信機器１００が中継通信を開始する際の動作を説明する。第１の実施形態に係る第１通信機器１００において、中継通信を開始する前は、第１通信手段１０１は待機の状態にある。一方で第２通信手段１０２は起動の状態にある。
【００２２】
第２通信手段１０２が、中継通信を開始する通信開始信号を受信すると（Ａ１）、第２通信手段１０２は制御手段１１０に通信開始信号を送信する（Ａ２）。制御手段１１０は、通信開始信号を受信すると、第３通信手段１０３を起動させる起動要求信号を第３通信手段１０３に送信し（Ａ３）、第３通信手段１０３は起動要求信号を受信して、起動する（Ａ４）。
【００２３】
一方で制御手段１１０は、第３通信手段１０３を起動させる起動要求信号を第３通信手段１０３に送信した後に、第１通信手段１０１を起動させる起動要求信号を第１通信手段１０１に送信する（Ａ５）。第１通信手段１０１は、起動要求信号を受信して、起動する（Ａ６）。
【００２４】
第１の実施形態に係る第１通信機器１００によれば、第３通信手段１０３を起動させる起動要求信号を第３通信手段１０３に送信した後に、第１通信手段１０１を起動させる起動要求信号を第１通信手段１０１に送信する。したがって、第１通信手段１０１の認証や起動を待たずに、第３通信手段１０３を起動することができ、中継通信を早期に確立することができる。
【００２５】
なお、種々の通信手段においては、通信速度が高くなるほど消費電力が大きくなることが多い。本発明の第１の実施形態に係る第１通信機器１００によれば、第２通信手段１０２として第１通信手段１０１より通信速度が低く消費電力が小さい通信手段を採用する場合、第１通信機器１００全体の消費電力の低下と、高速な中継通信を両立することができる。すなわち、中継通信を行う際には、通信速度がより高い第１通信手段１０１を用いることで高速な中継通信を実現することができる。一方、中継通信を行わずに通信開始信号の受信を待つ際には、高速な通信が求められないことから、消費電力がより小さい第２通信手段１０２を用いることにより、電力の消費を抑えることができる。
【００２６】
また、本発明の第１の実施形態に係る第１通信機器１００によれば、第３通信手段１０３が第１通信手段１０１よりも通信の確立に時間を要する場合、中継通信の確立を早めることができる。すなわち、第１の実施形態に係る第１通信機器１００では、第１通信手段１０１より先に第３通信手段１０３に対して起動要求信号を送信するため、中継通信の確立を早めることができる。
【００２７】
［第２の実施形態］
図３及び４を参照し、第２の実施形態に係る通信機器について説明する。第２の実施形態は、第１の実施形態の変形例である。図３は、第２の実施形態に係る通信機器のブロック図である。第２の実施形態は、第４通信手段１０４以外は第１の実施形態と同様であり、図１から図２に記載の番号は図３から図４においても同じ構成を示す。
【００２８】
図３に示されるように、本発明の第２の実施形態に係る第１通信機器１００は、第１通信手段１０１と、第２通信手段１０２と、第３通信手段１０３と、第４通信手段１０４を有する。また、第１通信手段１０１、第２通信手段１０２、第３通信手段１０３、及び第４通信手段１０４の起動及び待機を制御する制御手段１１０を有する。第１通信機器１００は、第１通信手段１０１の通信先と第３通信手段１０３の通信先を中継通信することができる。また、第１通信機器１００は、第１通信手段１０１の通信先と第４通信手段１０４の通信先を中継通信することができる。
【００２９】
次に図４を用いて、本発明の第２の実施形態に係る第１通信機器１００の動作について説明する。図４は、第２の実施形態に係る第１通信機器１００の動作を示すシーケンス図である。以下に、第２の実施形態に係る第１通信機器１００が中継通信を開始する際の動作を説明する。第２の実施形態に係る第１通信機器１００において、中継通信を開始する前は、第１通信手段１０１は待機の状態にある。一方で第２通信手段１０２は、起動の状態にある。
【００３０】
図４のＢ１〜Ｂ６までは、第１の実施形態に係る図２のＡ１〜Ａ６までと同じである。第３通信手段１０３は、起動（Ｂ４）の後に、通信先に対して接続要求信号を送信する（Ｂ７）。第３通信手段１０３の通信先との接続が確立できない場合は、第３通信手段１０３は非接続信号を制御手段１１０に送信する（Ｂ８）。非接続信号は、例えば、一定時間以上、第３通信手段１０３の通信先との通信が確立できない場合に送信するように設定することができる。
【００３１】
制御手段１１０は非接続信号を受信すると、第４通信手段１０４を起動する起動要求信号を第４通信手段１０４に送る（Ｂ９）。第４通信手段１０４は、起動要求信号を受信すると、起動する（Ｂ１０）。第４通信手段１０４が起動することにより、第１通信手段１０１の通信先と第４通信手段１０４の通信先の中継通信を試みることができる。
【００３２】
第２の実施形態に係る第１通信機器１００によれば、第３通信手段１０３の通信手段が通信を行うことができない場合、制御手段１１０は、第４通信手段１０４を起動させる起動要求信号を第４通信手段１０４に送信する。したがって、第３通信手段１０３の通信を行うことができなくても、第４通信手段１０４により中継通信を試みることができる。
【００３３】
［第３の実施形態］
図５を参照し、第３の実施形態に係る通信機器について説明する。第３の実施形態は、第１及び第２の実施形態の変形例である。以下では第１の実施形態の変形例として説明する。図５は、第３の実施形態に係る通信機器の動作を示すシーケンス図である。第３の実施形態の構成は、第１の実施形態と同様であり、図１及び図２に記載の番号は図５においても同じ構成を示す。以下に、第３の実施形態に係る第１通信機器１００が中継通信を開始する際の動作を説明する。
【００３４】
第３の実施形態に係る第１通信機器１００において、中継通信を開始する前は、第１通信手段１０１は待機の状態にある。一方で第２通信手段１０２は、起動の状態にある。
【００３５】
図５のＣ１〜Ｃ６までは、第１の実施形態に係る図２のＡ１〜Ａ６までと同じである。第１通信手段１０１は、起動すると（Ｃ６）、起動応答信号を制御手段１１０に送信する（Ｃ７）。起動応答信号を受信した制御手段１１０は、第２通信手段１０２を待機させる待機要求信号を第２制御手段１０２に送信する（Ｃ８）。待機要求信号を受信した第２通信手段１０２は、待機する（Ｃ９）。
【００３６】
第３の実施形態に係る第１通信機器１００によれば、第１通信手段１０１が起動した後に、第２通信手段１０２を待機の状態にさせるため、消費電力を減らすことができる。
【００３７】
［第４の実施形態］
図６を参照し、第４の実施形態に係る通信機器について説明する。第４の実施形態は、第１乃至第３の実施形態の変形例である。以下では第１の実施形態の変形例として説明する。図６は、第４の実施形態に係る通信機器の動作を示すシーケンス図である。第４の実施形態の構成は、第１の実施形態と同様であり、図１及び図２に記載の番号は図６においても同じ構成を示す。以下に、第４の実施形態に係る第１通信機器１００が中継通信を中止する際の動作を説明する。
【００３８】
第４の実施形態に係る第１通信機器１００において、中継通信を中止する前は、第１通信手段１０１は起動の状態にある。一方で第２通信手段１０２は、待機の状態にある。
【００３９】
第１通信手段１０１が、中継通信を中止する通信切断信号を受信すると（Ｅ１）、第１通信手段１０１は制御手段１１０に通信切断信号を送信する（Ｅ２）。制御手段１１０は、通信切断信号を受信すると、第３通信手段１０３を待機させる待機要求信号を第３通信手段１０３に送信し（Ｅ３）、第３通信手段１０３は待機要求信号を受信して、待機する（Ｅ４）。
【００４０】
一方で制御手段１１０は、第３通信手段１０３を待機させる待機要求信号を第３通信手段１０３に送信した後に、第２通信手段１０２を起動させる起動要求信号を第２通信手段１０２に送信する（Ｅ５）。第２通信手段１０２は、起動要求信号を受信して、起動する（Ｅ６）。
【００４１】
第４の実施形態に係る第１通信機器１００によれば、第３通信手段１０３を待機させる起動要求信号を第３通信手段１０３に送信した後に、第２通信手段１０２を起動させる起動要求信号を第２通信手段１０２に送信する。したがって、第１通信手段１０１の切断を待たずに、早期に第２通信手段１０２を起動することができる。
【００４２】
［第５の実施形態］
図７を参照し、第５の実施形態に係る通信機器について説明する。第５の実施形態は、第４の実施形態の変形例である。図７は、第５の実施形態に係る通信機器の動作を示すシーケンス図である。第５の実施形態の構成は、第４の実施形態と同様であり、図６に記載の番号は図７においても同じ構成を示す。以下に、第５の実施形態に係る第１通信機器１００が中継通信を中止する際の動作を説明する。
【００４３】
図７のＦ１〜Ｆ６までは、第４の実施形態に係る図６のＥ１〜Ｅ６までと同じである。第２通信手段１０２は、起動すると（Ｆ６）起動応答信号を制御手段１１０に送信する（Ｆ７）。起動応答信号を受信した制御手段１１０は、待機要求信号を第１制御手段１０１に送信する（Ｆ８）。待機要求信号を受信した第１通信手段１０１は、待機する（Ｆ９）。
【００４４】
第５の実施形態に係る第１通信機器１００によれば、第２通信手段１０２が起動した後に、第１通信手段１０１を待機の状態にするため、消費電力を減らすことができる。
【００４５】
［第６の実施形態］
図８乃至１０を参照し、第６の実施形態に係る通信システムについて説明する。第６の実施形態は、第１乃至第５の実施形態の変形例である。以下では第１及び第４の実施形態の変形例として説明する。図８は、第６の実施形態に係る通信システムのブロック図である。第１通信機器１００は、第１乃至第５の実施形態の第１通信機器１００と同じ構成であり、図１及び図２に記載の番号は図８から図１０においても同じ構成を示す。
【００４６】
図８に示されるように、本発明の第６の実施形態に係る通信システム１０００は、第１通信機器１００と、第２通信機器２００とを有する。第１通信機器１００は、第１通信手段１０１と、第２通信手段１０２と、第３通信手段１０３と、第１〜３通信手段の起動及び待機を制御する制御手段１１０とを有する。
【００４７】
第２通信機器２００は、第１通信手段１０１と通信可能な第５通信手段２０１と、第２通信手段１０２と通信可能な第６通信手段２０２とを有する。第５通信手段２０１としては、第１通信手段１０１と通信可能であれば、いずれの通信手段も採用することができる。また、第６通信手段２０２としては、第２通信手段１０２と通信可能であれば、いずれの通信手段も採用することができる。
【００４８】
次に図９を用いて、本発明の第６の実施形態に係る通信システム１０００の動作について説明する。図９は、第６の実施形態に係る通信システム１０００の動作を示すシーケンス図である。以下に、第６の実施形態に係る通信システム１０００が中継通信を開始する際の動作を説明する。第６の実施形態に係る通信システム１０００において、中継通信を開始する前は、第１通信手段１０１は待機の状態にある。一方で第２通信手段１０２は、起動の状態にある。
【００４９】
第６通信手段２０２が中継通信を開始する通信開始信号を第２通信手段１０２に送信する（Ｇ１）。第２通信手段１０２は、通信開始信号を受信すると、制御手段１１０に通信開始信号を送信する（Ｇ２）。制御手段１１０は、通信開始信号を受信すると、第３通信手段１０３を起動させる起動要求信号を第３通信手段１０３に送信し（Ｇ３）、第３通信手段１０３は起動要求信号を受信して、起動する（Ｇ４）。
【００５０】
一方で制御手段１１０は、第３通信手段１０３を起動させる起動要求信号を第３通信手段１０３に送信した後に、第１通信手段１０１を起動させる起動要求信号を第１通信手段１０１に送信する（Ｇ５）。第１通信手段１０１は、起動要求信号を受信して、起動する（Ｇ６）。
【００５１】
第６の実施形態に係る通信システム１０００によれば、第３通信手段１０３を起動させる起動要求信号を第３通信手段１０３に送信した後に、第１通信手段１０１を起動させる起動要求信号を第１通信手段１０１に送信する。したがって、第１通信手段１０１の認証や起動を待たずに、第３通信手段１０３を起動することができ、中継通信を早期に確立することができる。
【００５２】
次に、第６の実施形態に係る通信システム１０００が中継通信を中止する際の動作を説明する。
【００５３】
第６の実施形態に係る通信システム１０００において、中継通信を中止する前は、第１通信手段１０１は起動の状態にある。一方で第２通信手段１０２は、待機の状態にある。
【００５４】
第５通信手段２０１は、第１通信手段１０１に中継通信を中止する通信切断信号を送信する（Ｈ１）。第１通信手段１０１は、通信切断信号を受信すると、制御手段１１０に通信切断信号を送信する（Ｈ２）。制御手段１１０は、通信切断信号を受信すると、第３通信手段１０３を待機させる待機要求信号を第３通信手段１０３に送信し（Ｈ３）、第３通信手段１０３は待機要求信号を受信して、待機する（Ｈ４）。
【００５５】
一方で制御手段１１０は、第３通信手段１０３を待機させる待機要求信号を第３通信手段１０３に送信した後に、第２通信手段１０２を起動させる起動要求信号を第２通信手段１０２に送信する（Ｈ５）。第２通信手段１０２は、起動要求信号を受信して、起動する（Ｈ６）。
【００５６】
第６の実施形態に係る通信システム１０００によれば、第３通信手段１０３を待機させる起動要求信号を第３通信手段１０３に送信した後に、第２通信手段１０２を起動させる起動要求信号を第２通信手段１０２に送信する。したがって、第１通信手段１０１の切断を待たずに、早期に第２通信手段１０２を起動することができる。
【００５７】
［第７の実施形態］
図１１乃至１３を参照し、第７の実施形態に係る通信システム１０００について説明する。第７の実施形態は、第６の実施形態の変形例である。図１１は、第７の実施形態に係る通信システムのブロック図である。第１通信機器１００及び第２通信機器２００は、第６の実施形態の第１通信機器１００及び第２通信機器２００と同様であり、図８及び図１０に記載の番号は図１１から図１３においても同じ構成を示す。
【００５８】
図１１に示されるように、本発明の第７の実施形態に係る通信システム１０００は、第１通信機器１００と、第２通信機器２００と、第３通信機器３００を有する。第１通信機器１００は、第１通信手段１０１と、第２通信手段１０２と、第３通信手段１０３と、第１〜３通信手段の起動及び待機を制御する制御手段１１０とを有する。第２通信機器２００は、第１通信手段１０１と通信可能な第５通信手段２０１と、第２通信手段１０２と通信可能な第６通信手段２０２とを有する。第３通信機器３００は、第３通信手段１０３と通信可能な第７通信手段３０１を有する。第７通信手段３０１としては、第３通信手段１０３と通信可能であれば、いずれの通信手段も採用することができる。
【００５９】
次に図１２を用いて、本発明の第７の実施形態に係る通信システム１０００の動作について説明する。図１２は、第７の実施形態に係る通信システム１０００の動作を示すシーケンス図である。以下に、第７の実施形態に係る通信システム１０００が中継通信を開始する際の動作を説明する。第７の実施形態に係る通信システム１０００において、中継通信を開始する前は、第１通信手段１０１は待機の状態にある。一方で第２通信手段１０２は、起動の状態にある。
【００６０】
第６通信手段２０２が中継通信を開始する通信開始信号を第２通信手段１０２に送信する（Ｉ１）。第２通信手段１０２は、通信開始信号を受信すると、制御手段１１０に通信開始信号を送信する（Ｉ２）。制御手段１１０は、通信開始信号を受信すると、第３通信手段１０３を起動させる起動要求信号を第３通信手段１０３に送信し（Ｉ３）、第３通信手段１０３は起動要求信号を受信して、起動する（Ｉ４）。
【００６１】
一方で制御手段１１０は、第３通信手段１０３を起動させる起動要求信号を第３通信手段１０３に送信した後に、第１通信手段１０１を起動させる起動要求信号を第１通信手段１０１に送信する（Ｉ５）。第１通信手段１０１は、起動要求信号を受信して、起動する（Ｉ６）。第３通信手段１０３は、第７通信手段との通信を確立する接続要求信号を送信する（Ｉ７）。
【００６２】
第７の実施形態に係る通信システム１０００によれば、第３通信手段１０３を起動させる起動要求信号を第３通信手段１０３に送信した後に、第１通信手段１０１を起動させる起動要求信号を第１通信手段１０１に送信する。したがって、第１通信手段１０１の認証や起動を待たずに、第３通信手段１０３を起動することができ、中継通信を早期に確立することができる。
【００６３】
次に、第７の実施形態に係る通信システム１０００が中継通信を中止する際の動作を説明する。
【００６４】
第７の実施形態に係る通信システム１０００において、中継通信を中止する前は、第１通信手段１０１は起動の状態にある。一方で第２通信手段１０２は、待機の状態にある。
【００６５】
第５通信手段２０１は、第１通信手段１０１に中継通信を中止する通信切断信号を送信する（Ｊ１）。第１通信手段１０１は、通信切断信号を受信すると、制御手段１１０に通信切断信号を送信する（Ｊ２）。制御手段１１０は、通信切断信号を受信すると、第３通信手段１０３を待機させる待機要求信号を第３通信手段１０３に送信し（Ｊ３）、第３通信手段１０３は待機要求信号を受信して、待機する（Ｊ４）。
【００６６】
一方で制御手段１１０は、第３通信手段１０３を待機させる待機要求信号を第３通信手段１０３に送信した後に、第２通信手段１０２を起動させる起動要求信号を第２通信手段１０２に送信する（Ｊ５）。第２通信手段１０２は、起動要求信号を受信して、起動する（Ｊ６）。第３通信手段１０３は、第７通信手段３０１との通信を切断する切断要求信号を送信する（Ｊ７）。
【００６７】
第７の実施形態に係る通信システム１０００によれば、第３通信手段１０３を待機させる起動要求信号を第３通信手段１０３に送信した後に、第２通信手段１０２を起動させる起動要求信号を第２通信手段１０２に送信する。したがって、第１通信手段１０１の切断を待たずに、早期に第２通信手段１０２を起動することができる。
【００６８】
本発明の通信機器及び通信機器の制御方法は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。本発明のさらなる課題、目的及び展開形態は、請求の範囲を含む本発明の全開示事項からも明らかにされる。
【符号の説明】
【００６９】
１００    第１通信機器
１０１    第１通信手段
１０２    第２通信手段
１０３    第３通信手段
１０４    第４通信手段
１１０    制御手段
２００    第２通信機器
２０１    第５通信手段
２０２    第６通信手段
３００    第３通信機器
３０１    第７通信手段
４００    遠隔制御システム
５００    通信装置
５１０    受信整流部
５３０    送受信部
５５０    判定部
５７０    電源制御部
６００    通信装置
６１０    第１制御通信部
６３０    第２制御通信部
１０００    通信システム
【図１】
2014060586.tif 000003
【図２】
2014060586.tif 000004
【図３】
2014060586.tif 000005
【図４】
2014060586.tif 000006
【図５】
2014060586.tif 000007
【図６】
2014060586.tif 000008
【図７】
2014060586.tif 000009
【図８】
2014060586.tif 000010
【図９】
2014060586.tif 000011
【図１０】
2014060586.tif 000012
【図１１】
2014060586.tif 000013
【図１２】
2014060586.tif 000014
【図１３】
2014060586.tif 000015
【図１４】
2014060586.tif 000016
【図１５】
2014060586.tif 000017